(57)【要約】  このヘッドフォン型音響装置は、ヘッドバンドと、ヘッドバンドの両端部に各々一端部がスライド自在に取り付けられた一対のスライドブロックと、一対のスライドブロックの各々の他端部に連結部を通じて連結され、ヘッドフォンユニットを各々備えた一対のハウジングブロックと、一対のスライダブロックに各々配置されたスピーカユニットとを具備する。
2015022766.tif 000002
【特許請求の範囲】
【請求項１】
ヘッドバンドと、
前記ヘッドバンドの両端部に各々一端部がスライド自在に取り付けられた一対のスライダブロックと、
前記一対のスライダブロックの各々の他端部に連結部を通じて連結され、ヘッドフォンユニットを各々備えた一対のハウジングブロックと、
前記一対のスライダブロックに各々配置されたスピーカユニットと
を具備するヘッドフォン型音響装置。
【請求項２】
請求項１に記載のヘッドフォン型音響装置であって、
前記ヘッドフォンユニットに供給するオーディオ信号を増幅可能な第１のアンプと、
前記スピーカユニットに供給するオーディオ信号を増幅可能な第２のアンプと、
ユーザからの切り替えの指示を受け付ける操作部と、
前記操作部にて受け付けた前記指示に従って、前記第１のアンプと第２のアンプとを切り替える制御部と
をさらに具備するヘッドフォン型音響装置。
【請求項３】
請求項２に記載のヘッドフォン型音響装置であって、
前記スピーカユニットは、
前記スライダブロックの厚み方向に振動可能な振動板と、この振動板を駆動する磁気回路と、前記振動板および前記磁気回路を前記振動板を露出させた状態で保持しつつ収容するケースとを含むスピーカドライバユニットと、
前記ケースの前記振動板を露出させた面との間に空間を形成し、かつ前記空間の、前記スライダブロックのスライド方向に対して直交する方向にある一端から音を逃がすための開口部を有する蓋体と
を具備するヘッドフォン型音響装置。
【請求項４】
請求項３に記載のヘッドフォン型音響装置であって、
前記空間の、前記スライダブロックのスライド方向に対して直交する方向にある一端が、前記ヘッドフォン型音響装置をユーザが装着した状態において正面の側である
ヘッドフォン型音響装置。
【発明の詳細な説明】
【技術分野】
【０００１】
本技術は、音楽を聴くときに用いられるヘッドフォンとスピーカを一体に搭載したヘッドフォン型音響装置に関する。
【背景技術】
【０００２】
ヘッドフォンの多くは、密閉型と呼ばれるタイプである。密閉型のヘッドフォンは、ヘッドフォンユニットと耳との間に存在する密閉空間で最適な音をつくりだすように構成された音響装置である。一方、スピーカは、ある程度の距離をとって音を聴くことを前提に設計される。ヘッドフォンとスピーカは構造的には近いものであり、最も大きな違いは空気を振動させるパワー（音圧）の違いにあるといってもよい。すなわち、ヘッドフォンは上記の密閉空間の空気を振動させる程度のパワーでよいが、スピーカはユーザとの間の空間を振動させるために大きなパワーを必要とする。【０００３】
特許文献１には、ヘッドフォンスピーカの出力パワーを、切替スイッチの操作によって、ヘッドフォン用の小さいレベルとスピーカ用の大きいレベルとの間で切り替えることによって、ヘッドフォン機能とスピーカ機能の２つの機能を兼ね備えたヘッドフォンが開示されている。【０００４】
しかしながら、上記特許文献１のヘッドフォンでは、ハウジング内に設けられたスピーカユニットの出力パワーをヘッドフォン用の小さいレベルとスピーカ用の大きいレベルとの間で切り替えるだけのものである。このため、スピーカとしてスピーカユニットを使用する場合には、据え置き型のスピーカとして使用しなければならない。このとき、左右のハウジング内に設けられたスピーカユニット間の距離がステレオ再生において十分なステレオ効果を発揮するのに不十分である。
【先行技術文献】
【特許文献】
【０００５】
【特許文献１】特開２０１０−７４８３１号公報（段落［００１９］等）
【発明の概要】
【発明が解決しようとする課題】
【０００６】
ヘッドフォンとスピーカを一体に搭載したヘッドフォン型音響装置においては、例えば、その使いやすさやスピーカの音質などの性能向上が望まれていた。【０００７】
以上のような事情に鑑み、本技術の目的は、ヘッドフォンとスピーカを一体に搭載したヘッドフォン型音響装置の性能の向上を図ることにある。
【課題を解決するための手段】
【０００８】
上記課題を解決するために、本技術に係るヘッドフォン型音響装置は、ヘッドバンドと、前記ヘッドバンドの両端部に各々一端部がスライド自在に取り付けられた一対のスライダブロックと、前記一対のスライダブロックの各々の他端部に連結部を通じて連結され、ヘッドフォンユニットを各々備えた一対のハウジングブロックと、前記一対のスライダブロックに各々配置されたスピーカユニットとを具備する。【０００９】
本技術に係るヘッドフォン型音響装置では、一対のハウジングブロックに各々設けられたヘッドフォンユニットに加え、一対のスライダブロックに各々スピーカユニットが設けられる。スピーカユニットを使用して音楽を楽しむときは、ヘッドバンドおよび左右のスライダブロックの部分をユーザの首に掛けた状態とすればよい。この装着状態において、一対のスピーカユニットは各々、ユーザの左右の耳の下方に位置するので、各々のスピーカユニットからの音は空間を通じてユーザの耳に良好に到達する。また、スライダブロックにスピーカユニットが設けられているので、スライダブロックをスライド移動させることによって、スピーカユニットとユーザの耳との位置関係を調整することができる。【００１０】
上記のヘッドフォン型音響装置は、前記ヘッドフォンユニットに供給するオーディオ信号を増幅可能な第１のアンプと、前記スピーカユニットに供給するオーディオ信号を増幅可能な第２のアンプと、ユーザからの切り替えの指示を受け付ける操作部と、前記操作部にて受け付けた前記指示に従って、前記第１のアンプと第２のアンプとを切り替える制御部とをさらに具備するものでもよい。【００１１】
これにより、音を出力させたいユニットをヘッドフォンユニットとスピーカユニットとの間でユーザが自由に切り替えることができる。【００１２】
前記スピーカユニットは、前記スライダブロックの厚み方向に振動可能な振動板と、この振動板を駆動する磁気回路と、前記振動板および前記磁気回路を前記振動板を露出させた状態で保持しつつ収容するケースとを含むスピーカドライバユニットと、前記ケースの前記振動板を露出させた面との間に空間を形成し、かつ前記空間の、前記スライダブロックのスライド方向に対して直交する方向にある一端から音を逃がすための開口部を有する蓋体とを具備するものとしてもよい。【００１３】
空間の、スライダブロックのスライド方向に対して直交する方向にある一端から音を逃がすように開口部が設けられたことで、ヘッドフォン型音響装置をユーザの首に掛けて使用する場合の、スピーカユニットからの音を、ユーザの耳に向けて放出させることができる。これにより、スピーカユニットの音量をあまり上げなくても、ユーザは十分な音量での音楽を楽しむことができる。【００１４】
前記空間の、前記スライダブロックのスライド方向に対して直交する方向にある一端とは、前記ヘッドフォン型音響装置をユーザが装着した状態において正面の側である。
【発明の効果】
【００１５】
以上のように、本技術によれば、ヘッドフォンとスピーカを一体に搭載したヘッドフォン型音響装置の性能向上を図ることができる。
【図面の簡単な説明】
【００１６】
【図１】本技術に係る第１の実施形態のヘッドフォン型音響装置の外観を示す図である。
【図２】図１のヘッドフォン型音響装置の構成を示す断面図である。
【図３】スピーカユニットの縦断面図である。
【図４】スピーカユニットの横断面図である。
【図５】スピーカユニット２４の構成をカバー類を取り外して示す外観図である。
【図６】本実施形態のヘッドフォン型音響装置のヘッド装着形態を示す図である。
【図７】本実施形態のヘッドフォン型音響装置の首掛け形態を示す図である。
【図８】本実施形態のヘッドフォン型音響装置の電気的な構成を示す図である。
【図９】スピーカ位置の調整方法を示す図である。
【発明を実施するための形態】
【００１７】
以下、本技術に係る実施形態を、図面を参照しながら説明する。
＜第１の実施形態＞
［ヘッドフォン型音響装置の構成］
図１は、本技術に係る第１の実施形態のヘッドフォン型音響装置の外観を示す図である。
同図に示すように、ヘッドフォン型音響装置１００は、ヘッドバンド１０、左右のスライダブロック２０Ｒ，２０Ｌ、左右のハンガー３０Ｒ，３０Ｌ（連結部）、および左右のハウジングブロック４０Ｒ，４０Ｌを備える。
なお、符号の"Ｒ"は右、"Ｌ"は左を意味し、左右は本ヘッドフォン型音響装置１００を装着したユーザからの向きとする。
【００１８】
ヘッドバンド１０は、人体の頭部あるいは首の部分に引っ掛けられることが可能なように、例えば全体的に略所定の曲率で湾曲し、フレキシブル性を有する、たとえば合成樹脂製の薄板などからなる。ヘッドバンド１０の両端部にはそれぞれスライダブロック２０Ｒ，２０Ｌおよびハンガー３０Ｒ，３０Ｌを介してハウジングブロック４０Ｒ，４０Ｌが取り付けられる。
【００１９】
図２は図１のヘッドフォン型音響装置１００の構成を示す断面図である。
スライダブロック２０Ｒ，２０Ｌはそれぞれ、スライダベース２１、スライダカバー２２、ハンガー連結部２３、およびスピーカユニット２４を有する。
【００２０】
スライダベース２１には、ヘッドバンド１０の一方の端部１１をスライド自在に保持するために、ヘッドバンド１０の一方の端部１１が挿入される挿入部２５と、挿入部２５の内側に設けられ、ヘッドバンド１０の端部１１の面に設けられた突起部などの掛止部（図示せず）を掛止してヘッドバンド１０の挿入位置をロックする掛止構造（図示せず）などが設けられている。ユーザは、ヘッドバンド１０の一方の端部１１の挿入量を適宜マニュアル調整することによって、ユーザの左右の耳に各々のハウジングブロック４０Ｒ，４０Ｌを合わせることができる。
【００２１】
スライダカバー２２は、スライダベース２１の外装用のカバーである。
ハンガー連結部２３は、後述するハンガー３０Ｒ，３０Ｌと連結される部分である。
スライダブロック２０Ｒ，２０Ｌにはそれぞれ、本実施形態のヘッドフォン型音響装置１００をスピーカとして機能させるために必要な部品群を含むスピーカユニット２４が固定されている。ここで言う「スピーカ」とは、周囲の開放された空間の空気を振動させて音をユーザに伝える音響装置であり、ハウジングブロックにより密閉された空気を振動させて音をユーザに伝える「ヘッドフォン」とは異なる意味の用語としてこの明細書においては使用する。
【００２２】
ハンガー３０Ｒ，３０Ｌは、スライダブロック２０Ｒ，２０Ｌのハンガー連結部２３との連結用の第１の連結部３１と、ハウジングブロック４０Ｒ，４０Ｌとの連結用の第２の連結部３２（図１参照）を有する。第１の連結部３１は軸部３３を有する。この軸部３３は、スライダブロック２０Ｒ，２０Ｌのハンガー連結部２３に設けられた軸受部２７に連結される。軸受部２７はハンガー３０Ｒ，３０Ｌの第１の連結部３１の軸部３３を回転自在に保持するための部品である。このようにハンガー３０Ｒ，３０Ｌの第１の連結部３１の軸部３３がスライダブロック２０Ｒ，２０Ｌのハンガー連結部２３の軸受部２７に連結されることによって、ハンガー３０Ｒ，３０Ｌは、スライダブロック２０Ｒ，２０Ｌに対して軸回り方向に回動自在な状態で連結される。
【００２３】
なお、軸部３３を有する第１の連結部３１はハンガー３０Ｒ，３０Ｌに一体成形で設けられることによって、十分な耐久性が与えられている。
【００２４】
一方、ハンガー３０Ｒ，３０Ｌの第２の連結部３２（図１参照）はハウジングブロック４０Ｒ，４０Ｌを回動自在に支持する。この第２の連結部３２は、上記第１の連結部３１における軸部３３の軸方向に対して直交する軸方向にハウジングブロック４０Ｒ，４０Ｌを回動自在とするように構成される。第２の連結部３２は、第１の連結部３１付近から二股状に延ばして設けられた二股部３４と、二股部３４の各々の先端部に設けられた軸部３５とを有する。
【００２５】
軸部３５は、二股部３４の、ハウジングブロック４０Ｒ，４０Ｌのハウジング４２に対向する面から突出して設けられている。左右のハンガー３０Ｒ，３０Ｌ各々の軸部３５は、ハウジング４２の中心を通る一本の直線上に揃うように配置され、実質的には一体の軸として機能する。左右のハンガー３０Ｒ，３０Ｌ各々の軸部３５は、ハウジング４２に設けられた軸受穴（図示せず）に挿入され、保持される。
【００２６】
［ハウジングブロック４０Ｒ，４０Ｌの構成］
次に、ハウジングブロック４０Ｒ，４０Ｌの構成を説明する。
ハウジングブロック４０Ｒ，４０Ｌは各々、バッフル４１、ハウジング４２、イヤパッド４３、ヘッドフォンユニット４４、および配線基板４５などを有する。
【００２７】
バッフル４１は、ハウジング４２、イヤパッド４３、ヘッドフォンユニット４４を固定する略円板状の基材である。
ハウジング４２は、ヘッドフォンユニット４４を覆うための略円筒状の箱体である。
イヤパッド４３は、ユーザの耳を覆うためのクッション性を有する略ドーナツ状の部品である。
なお、バッフル４１、ハウジング４２、イヤパッド４３の各々の形状は記述のものに限定されない。
【００２８】
ヘッドフォンユニット４４は、電気信号を空気の振動（音）に変換するための振動板および磁気回路（例えばマグネットおよびボイスコイルなど）などで構成される。
【００２９】
配線基板４５は、プロセッサ、メモリ、その他、オーディオ再生機器の機能を実現するために必要な集積回路、その他の電子部品が実装された基板である。
【００３０】
なお、例えば、ハウジング４２には、ユーザ操作部１１４（図８参照）の一部であるスライドスイッチ４６、その他、プッシュスイッチ、ジョグダイアルなどのスイッチ類が設けられている。
【００３１】
［スピーカユニットの構成］
次に、スピーカユニット２４の構成を説明する。
本実施形態のヘッドフォン型音響装置１００には、音を出力するデバイスとして、ハウジングブロック４０Ｒ，４０Ｌ内のヘッドフォンユニット４４の他、スピーカユニット２４が設けられている。
【００３２】
スピーカユニット２４は、左右のスライダブロック２０Ｒ，２０Ｌに各々配置される。スピーカユニット２４は、スライダブロック２０Ｒ，２０Ｌの所定の一面、すなわち、ヘッドフォン型音響装置１００をユーザの頭部や首に掛けて装着したとき外側を向く一方の面に設けられている。
【００３３】
図３はスピーカユニット２４の構成を示す縦断面図、図４はスピーカユニット２４の横断面図、図５はスピーカユニット２４を含むスライダブロック２０Ｒ，２０Ｌの構成の一部を示す分解斜視図である。
【００３４】
スピーカユニット２４は、電気信号を空気の振動（音）に変換するための振動板と、振動板を駆動する磁気回路（例えばマグネットおよびボイスコイルなど）と、これらを収容するケース２４２、２４３などで構成されるスピーカドライバユニット２４１と、スピーカドライバユニット２４１の蓋体を構成するスピーカカバー２４４およびスピーカグリル２４５とを備える。
【００３５】
ケース２４２、２４３は上ケース２４２と下ケース２４３とで構成される。上ケース２４２には、振動板（図５の２４９）を露出させた状態で振動板の周囲を保持するための振動板保持開口部２４６が設けられている。ケース２４２、２４３はスライダブロック２０Ｒ，２０Ｌのスライダベース２１に固定されたクッション部材２８にネジなどの連結部品を介して固定される。
【００３６】
スピーカカバー２４４は、スピーカドライバユニット２４１の振動板および上ケース２４２の表面との間に空間を形成するように、スピーカドライバユニット２４１の上に装着される。
【００３７】
スピーカグリル２４５は、スピーカカバー２４４の外側をさらに覆う装飾用のカバー部品である。
【００３８】
図３および図４に示したように、スピーカドライバユニット２４１の振動板および上ケース２４２の表面とスピーカカバー２４４との間には空間Ｓが形成される。この空間Ｓ内から外に、所定の指向性をもたせて音圧を放射させるために、スピーカカバー２４４の一側面には上記の空間から音を外部に逃がすための音逃がし口２４７が設けられる。さらにスピーカカバー２４４の外側を覆うスピーカグリル２４５には、上記のスピーカカバー２４４の音逃がし口２４７に対応してスリット開口部２４８が設けられている。すなわち、スピーカドライバユニット２４１から出力された音圧は、上記の空間Ｓ内から、スピーカカバー２４４の一側面に設けられた音逃がし口２４７およびスピーカグリル２４５のスリット開口部２４８を通して外部に放出される。すなわち、スピーカカバー２４４およびスピーカグリル２４５を総称した蓋体には、音逃がし口２４７とスリット開口部２４８の開口どうしが重なり合った領域が、空間Ｓ内から音を外部に逃がすための実質的な開口部として設けられている。
【００３９】
また、スピーカドライバユニット２４１の振動板から放射された音がスムーズに、スピーカカバー２４４の一側面に設けられた音逃がし口２４７へ向けて誘導され、これらを通じて外部に放出されるように、スピーカカバー２４４および上ケース２４２は次のように構成されている。
【００４０】
１．スピーカカバー２４４の裏面（振動板および上ケース２４２の表面に対向する面）は大部分が平坦な面によって占められている。
２．空間Ｓの高さ位置と音逃し口２４７の高さ位置が略同じになるようにした。
３．スピーカドライバユニット２４１の音逃し口２４７の側とは反対側の半円周に沿う位置で空間Ｓを止めた。すなわち、上記の空間Ｓは、振動板の振動方向から見て、振動板の外形に対応する空間部分Ｓ１と、この空間部分Ｓ１から上記のスピーカカバー２４４の音逃がし口２４７までを連通する空間部分Ｓ２とで構成される。
【００４１】
空間Ｓを音逃し口２４７を除いて密な構造とするために、上ケース２４２の表面とスピーカカバー２４４の裏面とを突き合わせた部分は、クッションシート２５０を挟んで互いに圧接させてある。なお、クッションシート２５０は、振動板の振動に伴う上ケース２４２の振動がスピーカカバー２４４に伝達されるのを抑制するためのものである。
【００４２】
ところで、スピーカカバー２４４の音逃がし口２４７が設けられた一側面とは、ヘッドフォン型音響装置１００をユーザが装着した状態において正面を向く面のことである。言い換えれば、上記空間Ｓの、スライダブロック２０Ｒ，２０Ｌのスライド方向に対して直交する方向にある一端に音逃がし口２４７が設けられる。その理由は以下の通りである。
【００４３】
本実施形態のヘッドフォン型音響装置１００の装着の形態には主に２種類が想定されている。その一つは、図６に示すように、一般的なヘッドフォン使用時の装着形態である。すなわち、左右のハウジングブロック４０Ｒ，４０Ｌをユーザの左右の耳にあてるように装着した形態である。これを「ヘッド装着形態」と呼ぶ。
【００４４】
もう一つは、例えば、図７に示すように、ヘッドバンド１０および左右のスライダブロック２０Ｒ，２０Ｌの部分をユーザの首に掛けて装着した形態である。これを「首掛け形態」と呼ぶ。この首掛け形態では、左右のスピーカユニット２４，２４の音逃がし口２４７はユーザの左右の耳の略直下に位置する。このとき、音逃がし口２４７は上正面を向く。これにより、左右のスピーカユニット２４，２４からの音がユーザの左右の耳に効率的に到達する。
【００４５】
また、図３に示すように、スピーカユニット２４の下ケース２４３は、スライダベース２１にクッション部材２８を介してネジなどにより固定されて支持されている。これにより、スピーカユニット２４の振動がスライダブロック２０Ｒ，２０Ｌのスライダベース２１に伝達されるのを抑制している。
【００４６】
［ヘッドフォン型音響装置１００の電気的な構成］
図８は、本実施形態のヘッドフォン型音響装置１００の電気的な構成を示す図である。
同図に示すように、ヘッドフォン型音響装置１００は、プロセッサ１１０、メモリ１１２、ユーザ操作部１１４、フラッシュメモリ１１６、ヘッドフォンアンプ１１８、スピーカアンプ１１９、ヘッドフォンユニット４４，４４、スピーカユニット２４，２４、外部入力端子１２０、切替回路１２２、バッテリ１２４などを備える。
【００４７】
プロセッサ１１０（プロセッサ）は、本実施形態のヘッドフォン型音響装置１００の全体の制御、必要な演算処理ならびに信号処理を行う制御回路であり、例えば、ＢＧＡ（Ball Grid Array）などにより構成される。
【００４８】
メモリ１１２は、プロセッサ１１０に実行させるプログラムなどが格納され、プロセッサ１１０の作業領域などとして用いられる。メモリ１１２は、例えばＳＤＲＡＭ(Synchronous Dynamic Random Access Memory)などで構成される。
【００４９】
ユーザ操作部１１４は、例えば、ジョグダイアル、スライドスイッチ、プッシュボタンなど、ユーザからの操作による入力を受け付けるデバイスである。
ユーザ操作部１１４のスイッチとしては、主電源のオン／オフスイッチ、音量ボリュームスイッチ、出力切替スイッチなどがある。出力切替スイッチは、ヘッドフォン出力とスピーカ出力とを択一的に切り替えるためのスイッチである。
【００５０】
プロセッサ１１０は、出力切替スイッチの状態を検出し、この結果から、ユーザがヘッドフォン出力とスピーカ出力のうち、どちらを選択したことを認識する。プロセッサ１１０は、ヘッドフォン出力がユーザにより選択されたことを認識した場合には、ヘッドフォンアンプ１１８をアクティブ状態にすることによってヘッドフォンユニット４４，４４を駆動させる。また、プロセッサ１１０はスピーカ出力がユーザにより選択されたことを認識した場合には、スピーカアンプ１１９をアクティブ状態にすることによってスピーカユニット２４，２４を駆動させる。
【００５１】
フラッシュメモリ１１６は、ユーザデータとして、例えば、オーディオファイルなどが格納される書き換え、消去が可能な不揮発性の記憶装置である。
【００５２】
ヘッドフォンアンプ１１８（第１のアンプ）は、プロセッサ１１０より出力されたオーディオ信号を増幅して、ヘッドフォンユニット４４，４４に供給する。
【００５３】
スピーカアンプ１１９（第２のアンプ）は、プロセッサ１１０より出力されたオーディオ信号を増幅して、スピーカユニット２４，２４に供給する。
【００５４】
外部入力端子１２０は、例えば、スマートフォン、携帯オーディオ機器などの外部機器との接続部である。
【００５５】
切替回路１２２は、外部入力端子１２０への外部機器の接続状態をもとに、ヘッドフォンユニット４４，４４の入力元をヘッドフォンアンプ１１８と外部機器との間で切り替える。すなわち、外部入力端子１２０に外部機器が接続されていないときは、ヘッドフォンユニット４４，４４の入力元をヘッドフォンアンプ１１８とし、外部入力端子１２０に外部機器が接続されているときはヘッドフォンユニット４４，４４の入力元を外部機器とするように切り替える。
【００５６】
バッテリ１２４は、このヘッドフォン型音響装置１００の動作用の電源を蓄積し、供給する。バッテリ１２４は、例えば、リチウムバッテリなどの充電可能なものである。
【００５７】
その他、このヘッドフォン型音響装置１００は、図示は省略したが、各種のステータスを表示するためのＬＥＤ（Light Emitting Diode）などの表示器、ＵＳＢ（Universal Serial Bus）などの汎用のインタフェースなどを有する。
【００５８】
［ヘッドフォン型音響装置１００の動作］
ユーザによるユーザ操作部１１４（出力切替スイッチ）の操作によってヘッドフォン出力が選択されると、プロセッサ１１０はその選択内容を認識し、ヘッドフォンアンプ１１８をアクティブ状態にする。
【００５９】
ユーザ操作部１１４を通じてユーザによって楽曲の再生が指示されると、プロセッサ１１０は、例えば、フラッシュメモリ１１６からその楽曲のオーディオファイルを読み込み、デコード、復調、アナログ信号への変換を行い、そのアナログのオーディオ信号を、ヘッドフォンアンプ１１８に供給する。ヘッドフォンアンプ１１８にて増幅されたオーディオ信号はヘッドフォンユニット４４，４４に供給され、ヘッドフォンユニット４４，４４が駆動される。これによりユーザは、ヘッド装着形態でヘッドフォン出力による音楽鑑賞を楽しむことができる。
【００６０】
また、ユーザによるユーザ操作部１１４（出力切替スイッチ）の操作によってスピーカ出力が選択された場合には、プロセッサ１１０はその選択内容を認識し、スピーカアンプ１１９をアクティブ状態にする。プロセッサ１１０は、オーディオファイルから生成されたオーディオ信号をスピーカアンプ１１９に供給する。スピーカアンプ１１９にて増幅されたオーディオ信号はスピーカユニット２４，２４に供給され、スピーカユニット２４，２４が駆動される。これによりユーザは、首掛け形態でスピーカ出力による音楽鑑賞を楽しむことができる。
【００６１】
また、ヘッドフォン出力による音楽鑑賞中に、スピーカ出力に切り替えるようにユーザによってユーザ操作部１１４が操作された場合、プロセッサ１１０は、ヘッドフォンアンプ１１８をインアクティブ状態に切り替えてスピーカアンプ１１９をアクティブ状態にする。すなわち、このヘッドフォン型音響装置１００では、ユーザによるユーザ操作部１１４の操作によって、いつでもヘッドフォン出力による音楽鑑賞からスピーカ出力による音楽鑑賞に切り替えることができる。スピーカ出力からヘッドフォン出力への切り替え時も同様である。
【００６２】
以上のように、本実施形態のヘッドフォン型音響装置１００では、左右のハウジングブロック４０Ｒ，４０Ｌに各々設けられたヘッドフォンユニット４４，４４に加え、左右のスライダブロック２０Ｒ，２０Ｌにスピーカユニット２４，２４が設けられている。スピーカユニット２４，２４を使用して音楽を楽しむときは、図７に示したように、首掛け形態で使用するよう、製品マニュアル等を通してユーザに対して推奨される。この首掛け状態では、左右のスピーカユニット２４，２４の音逃がし口２４７がユーザの左右の耳の略直下に位置し、かつ略上を向く。すなわち、左右のスピーカユニット２４，２４からの音は下からユーザの耳に向かって放出される。このためスピーカユニット２４，２４の音量をあまり上げなくても、ユーザは十分な音量の音を感知することができる。
【００６３】
さらに、ヘッドバンド１０およびスライダブロック２０Ｒ，２０Ｌを含めた全長サイズはユーザがマニュアルで適宜変えることができる。このため、例えば、図９に示すように、スライダブロック２０Ｒ，２０Ｌからヘッドバンド１０を少し引き出した位置に掛止位置を変更したり、逆に少し押し込んだ位置に掛止位置を変更したりすることによって、ユーザの左右の耳と左右のスピーカユニット２４，２４との位置関係を自由に調整することができる。
【００６４】
また、スピーカ使用時は、ヘッドフォン使用時のように耳が塞がれた状態とならないため、音楽と同時に周囲の音もユーザの耳に入る。このため、移動中のユーザの安全性を向上させることができる。
【００６５】
［特許文献１に対する効果］
１．ユーザは、スピーカ使用時にヘッドフォン型音響装置１００を首に掛けた状態で、左右のスピーカユニット２４，２４からの音を左右の耳で音を聴くことができる。したがって、特許文献１に記載のもののように、左右のハウジングブロックからの音を離れた位置から聴く場合に比べ、良好なステレオ効果が得られる。
【００６６】
２．本実施形態のヘッドフォン型音響装置１００は、スピーカユニット２４と耳との間の空間を伝って音が伝達されるので、ハウジング内に設けられたスピーカユニットの出力パワーをヘッドフォン用の小さいレベルとスピーカ用の大きいレベルとの間で切り替える方式に比べて、違和感の無いスピーカ音を楽しむことができる。
【００６７】
なお、本技術は以下のような構成もとることができる。
（１）ヘッドバンドと、
前記ヘッドバンドの両端部に各々一端部がスライド自在に取り付けられた一対のスライダブロックと、
前記一対のスライダブロックの各々の他端部に連結部を通じて連結され、ヘッドフォンユニットを各々備えた一対のハウジングブロックと、
前記一対のスライダブロックに各々配置されたスピーカユニットと
を具備するヘッドフォン型音響装置。
【００６８】
（２）前記（１）に記載のヘッドフォン型音響装置であって、
前記ヘッドフォンユニットに供給するオーディオ信号を増幅可能な第１のアンプと、
前記スピーカユニットに供給するオーディオ信号を増幅可能な第２のアンプと、
ユーザからの切り替えの指示を受け付ける操作部と、
前記操作部にて受け付けた前記指示に従って、前記第１のアンプと第２のアンプとを切り替える制御部と
をさらに具備するヘッドフォン型音響装置。
【００６９】
（３）前記（１）または（２）に記載のヘッドフォン型音響装置であって、
前記スピーカユニットは、
前記スライダブロックの厚み方向に振動可能な振動板と、この振動板を駆動する磁気回路と、前記振動板および前記磁気回路を前記振動板を露出させた状態で保持しつつ収容するケースとを含むスピーカドライバユニットと、
前記ケースの前記振動板を露出させた面との間に空間を形成し、かつ前記空間の、前記スライダブロックのスライド方向に対して直交する方向にある一端から音を逃がすための開口部を有する蓋体と
を具備するヘッドフォン型音響装置。
【符号の説明】
【００７０】
１０…ヘッドバンド
２０Ｒ．２０Ｌ…スライダブロック
２１…スライダベース
２２…スライダカバー
２４…スピーカユニット
２４，２４…スピーカユニット
３０Ｒ．３０Ｌ…ハンガー
３１…第１の連結部
３２…第２の連結部
３３…軸部
３４…二股部
３５…軸部
４０Ｒ．４０Ｌ…ハウジングブロック
４１…バッフル
４２…ハウジング
４３…イヤパッド
４４，４４…ヘッドフォンユニット
１００…ヘッドフォン型音響装置
１１０…プロセッサ
１１２…メモリ
１１４…ユーザ操作部
１１６…フラッシュメモリ
１１８…ヘッドフォンアンプ
１１９…スピーカアンプ
２４１…スピーカドライバユニット
２４２…上ケース
２４３…下ケース
２４４…スピーカカバー
２４５…スピーカグリル
２４７…音逃がし口
２４８…スリット開口部
【図１】
2015022766.tif 000003
【図２】
2015022766.tif 000004
【図３】
2015022766.tif 000005
【図４】
2015022766.tif 000006
【図５】
2015022766.tif 000007
【図６】
2015022766.tif 000008
【図７】
2015022766.tif 000009
【図８】
2015022766.tif 000010
【図９】
2015022766.tif 000011
【国際調査報告】
2015022766.tif 000012
2015022766.tif 000013